(57)【要約】      （修正有）【課題】切断されたネジ棒の切断面の端縁にかえりバリが発生することを抑制することができ、よって切断後のネジ棒のバリ取り作業が不要となるため作業者の負荷を軽減することができるネジ棒切断機を提供する。【解決手段】固定刃２０における可動刃３０に対向する側端縁２６（第１側端縁）は、固定刃２０のネジ溝２２（第１ネジ溝）の山部分に沿うよう、当該固定刃２０のネジ溝２２に係合されるネジ棒の長手方向に直交する方向に対して角度をなしている。可動刃３０における固定刃２０に対向する側端縁３６（第２側端縁）は、固定刃２０の側端縁２６と平行な面から徐々に遠ざかるよう、固定刃２０の側端縁２６に対して角度をなしている。【選択図】図３
0003212513.tif 000002
【実用新案登録請求の範囲】
【請求項１】
ネジ棒が係合可能な第１ネジ溝が設けられている固定刃と、
待機位置と前進位置との間で移動可能となっており、ネジ棒が係合可能な第２ネジ溝が設けられている可動刃と、
前記可動刃を前記待機位置と前記前進位置との間で移動させる摺動子と、
を備え、
前記固定刃の前記第１ネジ溝にネジ棒が係合されている状態で前記摺動子により前記可動刃が前記待機位置から前記前進位置に移動させられたときに当該可動刃および前記固定刃によりネジ棒が切断されるようになっており、
前記固定刃における前記可動刃に対向する第１側端縁は、前記第１ネジ溝の山部分に沿うよう、当該固定刃の前記第１ネジ溝に係合されるネジ棒の長手方向に直交する方向に対して角度をなしており、
前記可動刃における前記固定刃に対向する第２側端縁は、前記固定刃の前記第１側端縁と平行な面から徐々に遠ざかるよう、前記固定刃の前記第１側端縁に対して角度をなしている、ネジ棒切断機。
【請求項２】
前記可動刃の前記第２側端縁は、当該可動刃の前記第２ネジ溝に係合されるネジ棒の長手方向に直交する方向に沿って延びている、請求項１記載のネジ棒切断機。
【請求項３】
前記可動刃の前記第２側端縁は、当該可動刃の前記第２ネジ溝における谷部分をまたがないよう構成されている、請求項１または２記載のネジ棒切断機。
【請求項４】
前記可動刃の前記第２側端縁は、前記第２ネジ溝における隣り合う谷部分と山部分との間を通るようになっている、請求項３記載のネジ棒切断機。
【請求項５】
ネジ棒が係合可能な第１ネジ溝が設けられている固定刃と、
待機位置と前進位置との間で移動可能となっており、ネジ棒が係合可能な第２ネジ溝が設けられている可動刃と、
前記可動刃を前記待機位置と前記前進位置との間で移動させる摺動子と、
を備え、
前記固定刃の前記第１ネジ溝にネジ棒が係合されている状態で前記摺動子により前記可動刃が前記待機位置から前記前進位置に移動させられたときに当該可動刃および前記固定刃によりネジ棒が切断されるようになっており、
前記可動刃における前記固定刃に対向する第２側端縁は、前記第２ネジ溝の山部分に沿うよう、当該可動刃の前記第２ネジ溝に係合されるネジ棒の長手方向に直交する方向に対して角度をなしており、
前記固定刃における前記可動刃に対向する第１側端縁は、前記可動刃の前記第２側端縁と平行な面から徐々に遠ざかるよう、前記可動刃の前記第２側端縁に対して角度をなしている、ネジ棒切断機。
【考案の詳細な説明】
【技術分野】
【０００１】
本考案は、全ネジボルト等のネジ棒を切断するためのネジ棒切断機に関する。
【背景技術】
【０００２】
全ネジボルト等のネジ棒を建屋の天井に取り付けた後、このネジ棒に照明器具や空調設備等を取り付ける際に、照明器具や空調設備等が取り付けられる前のネジ棒をネジ棒切断機により所定の長さに切断することにより、照明器具や空調設備等の取り付け高さを調整することができるようになっている。このようなネジ棒切断機として、例えば特許文献１等に開示されるものが従来から知られている。
【０００３】
特許文献１等に開示されるような従来のネジ棒切断機では、固定刃および可動刃からなる一対の切断刃によりネジ棒を剪断するようになっている。より詳細には、固定刃は、ネジ棒切断機の本体部分に取り付けられており当該固定刃はその位置が固定されている。また、固定刃には、ネジ棒が係合可能なネジ溝（雌ネジ）が設けられている。一方、可動刃は、待機位置と前進位置との間で移動可能となっており、可動刃が待機位置から前進位置に移動する際に当該可動刃は固定刃とすれ違うようになっている。また、可動刃にも、ネジ棒が係合可能なネジ溝（雌ネジ）が設けられている。ここで、可動刃が待機位置に位置しているときには、固定刃のネジ溝および可動刃のネジ溝は互いに向き合うようになっている。そして、固定刃のネジ溝にネジ棒が係合されている状態で可動刃が待機位置から前進位置に移動させられたときに、可動刃が固定刃とすれ違う際にネジ棒が剪断されるようになっている。
【先行技術文献】
【特許文献】
【０００４】
【特許文献１】特開平８−１７４３３１号公報
【考案の概要】
【考案が解決しようとする課題】
【０００５】
特許文献１等に開示されるような従来のネジ棒切断機では、固定刃における可動刃に対向する側端縁および可動刃における固定刃に対向する側端縁が、それぞれ切断されるべきネジ棒のリード角と同等の傾斜状態となっており、しかもこれらの側端縁が、切断されるべきネジ棒のネジ溝に位置するようになっている。言い換えると、従来のネジ棒切断機では、固定刃および可動刃の各々の側端縁が、これらの固定刃および可動刃に設けられたネジ溝の山部分に略一致するよう、固定刃に係合されるネジ棒の長手方向に直交する方向に対して傾斜している。
【０００６】
しかしながら、ネジ棒切断機により切断されるべきネジ棒は、ネジ溝が当該ネジ棒の長手方向に対して螺旋条に形成されているので、可動刃が固定刃とすれ違う際に、一方の切断刃の側端縁にネジ棒のネジ溝が接触する場合には、他方の切断刃の側端縁にネジ棒のネジ山が接触するようになる。このため、一方の切断刃の側端縁により、ネジ棒をネジ溝に沿って切断することができるが、他方の切断刃の側端縁は、ネジ棒のネジ山をまたがるよう隣り合うネジ溝の間でネジ棒を切断するようになる。このように、他方の切断刃の側端縁によってネジ棒がネジ山をまたがるよう切断された場合には、ネジ棒の切断面におけるネジ山の箇所にかえりバリが発生してしまう。このようなかえりバリが発生した場合には、切断後のネジ棒にナットを嵌める際にこのかえりバリが阻害することによりナットをネジ棒に適切に嵌め込むことができなくなるおそれがある。また、このようなかえりバリにより切断後のネジ棒にナットを嵌めようとする作業者の手や指先を傷つけてしまうおそれがある。このため、従来のネジ棒切断機では、ネジ棒を切断した後に、このかえりバリを取り除くためにバリ取り作業をしなければならないという問題があった。
【０００７】
本考案は、このような点を考慮してなされたものであり、切断されたネジ棒の切断面の端縁にかえりバリが発生することを抑制することができ、よって切断後のネジ棒のバリ取り作業が不要となるため作業者の負荷を軽減することができるネジ棒切断機を提供することを目的とする。
【課題を解決するための手段】
【０００８】
本考案のネジ棒切断機は、ネジ棒が係合可能な第１ネジ溝が設けられている固定刃と、待機位置と前進位置との間で移動可能となっており、ネジ棒が係合可能な第２ネジ溝が設けられている可動刃と、前記可動刃を前記待機位置と前記前進位置との間で移動させる摺動子と、を備え、前記固定刃の前記第１ネジ溝にネジ棒が係合されている状態で前記摺動子により前記可動刃が前記待機位置から前記前進位置に移動させられたときに当該可動刃および前記固定刃によりネジ棒が切断されるようになっており、前記固定刃における前記可動刃に対向する第１側端縁は、前記第１ネジ溝の山部分に沿うよう、当該固定刃の前記第１ネジ溝に係合されるネジ棒の長手方向に直交する方向に対して角度をなしており、前記可動刃における前記固定刃に対向する第２側端縁は、前記固定刃の前記第１側端縁と平行な面から徐々に遠ざかるよう、前記固定刃の前記第１側端縁に対して角度をなしていることを特徴とする。
【０００９】
このようなネジ棒切断機によれば、可動刃における固定刃に対向する第２側端縁は、固定刃の第１側端縁と平行な面から徐々に遠ざかるよう、固定刃の第１側端縁に対して角度をなしており、固定刃と可動刃との間の隙間の大きさが徐々に大きくなるようになっているため、切断されたネジ棒の切断面の端縁にかえりバリが発生することを抑制することができ、よって切断後のネジ棒のバリ取り作業が不要となるため作業者の負荷を軽減することができる。また、このような可動刃は、切削により第２側端縁を形成することができるため、側端縁に凹部を形成する方法と比較して可動刃の加工が簡単になる。
【００１０】
本考案のネジ棒切断機においては、前記可動刃の前記第２側端縁は、当該可動刃の前記第２ネジ溝に係合されるネジ棒の長手方向に直交する方向に沿って延びていてもよい。
【００１１】
本考案のネジ棒切断機においては、前記可動刃の前記第２側端縁は、当該可動刃の前記第２ネジ溝における谷部分をまたがないよう構成されていてもよい。
【００１２】
この場合、前記可動刃の前記第２側端縁は、前記第２ネジ溝における隣り合う谷部分と山部分との間を通るようになっていてもよい。
【００１３】
本考案のネジ棒切断機は、ネジ棒が係合可能な第１ネジ溝が設けられている固定刃と、待機位置と前進位置との間で移動可能となっており、ネジ棒が係合可能な第２ネジ溝が設けられている可動刃と、前記可動刃を前記待機位置と前記前進位置との間で移動させる摺動子と、を備え、前記固定刃の前記第１ネジ溝にネジ棒が係合されている状態で前記摺動子により前記可動刃が前記待機位置から前記前進位置に移動させられたときに当該可動刃および前記固定刃によりネジ棒が切断されるようになっており、前記可動刃における前記固定刃に対向する第２側端縁は、前記第２ネジ溝の山部分に沿うよう、当該可動刃の前記第２ネジ溝に係合されるネジ棒の長手方向に直交する方向に対して角度をなしており、前記固定刃における前記可動刃に対向する第１側端縁は、前記可動刃の前記第２側端縁と平行な面から徐々に遠ざかるよう、前記可動刃の前記第２側端縁に対して角度をなしていることを特徴とする。
【００１４】
このようなネジ棒切断機によれば、固定刃における可動刃に対向する第１側端縁は、可動刃の第２側端縁と平行な面から徐々に遠ざかるよう、可動刃の第２側端縁に対して角度をなしており、固定刃と可動刃との間の隙間の大きさが徐々に大きくなるようになっているため、切断されたネジ棒の切断面の端縁にかえりバリが発生することを抑制することができ、よって切断後のネジ棒のバリ取り作業が不要となるため作業者の負荷を軽減することができる。
【考案の効果】
【００１５】
本考案のネジ棒切断機によれば、切断されたネジ棒の切断面の端縁にかえりバリが発生することを抑制することができ、よって切断後のネジ棒のバリ取り作業が不要となるため作業者の負荷を軽減することができる。
【図面の簡単な説明】
【００１６】
【図１】本考案の実施の形態によるネジ棒切断機の外観を示す斜視図である。
【図２】図１に示すネジ棒切断機における固定刃および可動刃を、可動刃のネジ溝が見える方向から見たときの構成を示す構成図である。
【図３】図１に示すネジ棒切断機における固定刃および可動刃を、固定刃のネジ溝が見える方向から見たときの構成を示す構成図である。
【図４】図２および図３に示す固定刃を拡大して示す拡大構成図である。
【図５】図２および図３に示す可動刃を拡大して示す拡大構成図である。
【図６】図１等に示すネジ棒切断機における固定刃にネジ棒を固定した後、可動刃を待機位置から前進位置に移動させる動作を示す斜視図である。
【図７】図１等に示すネジ棒切断機において固定刃および可動刃によりネジ棒が切断される直前の状態を示す正面図である。
【図８】（ａ）（ｂ）は、それぞれ、図７に示すネジ棒、固定刃および可動刃を左側および右側から見たときの構成を示す左側面図および右側面図である。
【図９】図１等に示すネジ棒切断機において固定刃および可動刃によりネジ棒が切断された後の状態を示す正面図である。
【図１０】従来のネジ棒切断機における固定刃および可動刃を、可動刃のネジ溝が見える方向から見たときの構成を示す構成図である。
【図１１】従来のネジ棒切断機における固定刃および可動刃を、固定刃のネジ溝が見える方向から見たときの構成を示す構成図である。
【図１２】図１０および図１１に示す従来のネジ棒切断機において固定刃および可動刃によりネジ棒が切断される直前の状態を示す正面図である。
【図１３】（ａ）（ｂ）は、それぞれ、図１２に示すネジ棒、固定刃および可動刃を左側および右側から見たときの構成を示す左側面図および右側面図である。
【考案を実施するための形態】
【００１７】
以下、図面を参照して本考案の実施の形態について説明する。本実施の形態によるネジ棒切断機は、全ネジボルト等のネジ棒を切断するものである。図１乃至図９は、本実施の形態によるネジ棒切断機を示す図である。このうち、図１は、本実施の形態によるネジ棒切断機の外観を示す斜視図であり、図２および図３は、図１に示すネジ棒切断機における固定刃および可動刃を、可動刃のネジ溝が見える方向および固定刃のネジ溝が見える方向からそれぞれ見たときの構成を示す構成図である。また、図４および図５は、それぞれ、図２および図３に示す固定刃および可動刃を拡大して示す拡大構成図である。また、図６は、図１等に示すネジ棒切断機における固定刃にネジ棒を固定した後、可動刃を待機位置から前進位置に移動させる動作を示す斜視図であり、図７は、図１等に示すネジ棒切断機において固定刃および可動刃によりネジ棒が切断される直前の状態を示す正面図である。また、図８（ａ）および図８（ｂ）は、それぞれ、図７に示すネジ棒、固定刃および可動刃を左側および右側から見たときの構成を示す左側面図および右側面図である。また、図９は、図１等に示すネジ棒切断機において固定刃および可動刃によりネジ棒が切断された後の状態を示す正面図である。なお、図１乃至図３および図６乃至図９において、本実施の形態によるネジ棒切断機により切断されるべき全ネジボルト等のネジ棒を参照符合Ｗで示している。この際に、ネジ棒のネジ山を参照符合Ｗ１で示すとともに、ネジ溝を参照符合Ｗ２で示している。また、ネジ棒の長手方向に延びる中心線（言い換えると、ネジ棒の軸線）を参照符合Ｃで示している。
【００１８】
本実施の形態によるネジ棒切断機１０の概略的な構成について図１を用いて説明する。本実施の形態によるネジ棒切断機１０は、本体部１２と、作業者の手により把持されるハンドル１４と、油圧ポンプが内蔵されているポンプ部１６とを備えている。また、本体部１２の先端には、固定刃２０および可動刃３０がそれぞれ設けられている。ここで、固定刃２０は、その位置が固定された状態で本体部１２に取り付けられるようになっている。一方、可動刃３０は固定刃２０に対して移動可能となっている。より詳細には、可動刃３０には摺動子４０が取り付けられており、本体部１２の内部にはこの摺動子４０を往復移動させるピストン機構（図示せず）が設けられている。そして、ポンプ部１６の油圧ポンプにより発生した圧油がピストン機構に送られると、当該ピストン機構により摺動子４０は図１に示すような待機位置から進出位置に移動するようになっている。このことにより、摺動子４０に取り付けられている可動刃３０も、図１に示すような待機位置から進出位置に移動するようになる。ここで、可動刃３０が待機位置から進出位置に移動する途中で、当該可動刃３０はわずかな大きさの隙間を隔てて固定刃２０とすれ違うようになる。
【００１９】
図１乃至図３に示すように、固定刃２０には、切断されるべきネジ棒が係合可能な雌ネジからなるネジ溝２２（第１ネジ溝）が設けられている。また、可動刃３０にも、切断されるべきネジ棒が係合可能な雌ネジからなるネジ溝３２（第２ネジ溝）が設けられている。ここで、図１に示すように可動刃３０が待機位置に位置しているときには、固定刃２０のネジ溝２２および可動刃３０のネジ溝３２は互いに向き合うようになっている。そして、固定刃２０のネジ溝２２にネジ棒が係合されている状態で摺動子４０により可動刃３０が図１に示すような待機位置から前進位置に移動させられたときに、可動刃３０が固定刃２０とすれ違う際にネジ棒が切断されるようになっている。このような固定刃２０および可動刃３０の構成の詳細について図４および図５を用いて説明する。
【００２０】
図４は、固定刃２０を、当該固定刃２０のネジ溝２２が見える方向から見たときの構成を拡大して示す拡大構成図である。本実施の形態による固定刃２０を作製するにあたり、まず、略直方体形状のベース部に雌ネジからなるネジ溝２２を形成する。ここで、ネジ溝２２は、切断されるべきネジ棒が係合するような形状となっており、当該ネジ溝２２において谷部分２２ａおよび山部分２２ｂが交互に設けられるようになる。そして、ネジ棒が固定刃２０のネジ溝２２に係合されたときに、ネジ棒のネジ山（図７において参照符合Ｗ１で表示）が谷部分２２ａに嵌まるとともに、ネジ棒のネジ溝（図７において参照符合Ｗ２で表示）が山部分２２ｂに略一致するようになる。次に、固定刃２０における、可動刃３０がすれ違う際に当該可動刃３０に対向する側端縁２４（図４において二点鎖線で表示）を切削することにより、ネジ溝２２の山部分２２ｂに沿った側端縁２６（図４において実線で表示）が形成されるようになる。ここで、切削される前の側端縁２４は、ネジ溝２２に係合されるネジ棒の長手方向（すなわち、図４において参照符合Ｃで示す軸線が延びる方向）に直交する方向に延びるのに対し、切削された後の側端縁２６は、ネジ溝２２に係合されるネジ棒の長手方向に直交する方向に対して傾斜するようになる。このことにより、ネジ棒が固定刃２０のネジ溝２２に係合されたときに、当該固定刃２０の側端縁２６にはネジ棒のネジ溝が略一致するようになる（図７参照）。
【００２１】
図５は、可動刃３０を、当該可動刃３０のネジ溝３２が見える方向から見たときの構成を拡大して示す拡大構成図である。本実施の形態による可動刃３０を作製するにあたり、まず、固定刃２０の側端縁２６と略平行に延びる側端縁３４（図５において二点鎖線で表示）が設けられたベース部に雌ネジからなるネジ溝３２を形成する。ここで、ネジ溝３２は、切断されるべきネジ棒が係合するような形状となっており、当該ネジ溝３２において谷部分３２ａおよび山部分３２ｂが交互に設けられるようになる。そして、ネジ棒が可動刃３０のネジ溝３２に接触したときに、ネジ棒のネジ山（図７において参照符合Ｗ１で表示）が谷部分３２ａに嵌まるとともに、ネジ棒のネジ溝（図７において参照符合Ｗ２で表示）が山部分３２ｂに略一致するようになる。次に、可動刃３０における、固定刃２０とすれ違う際に固定刃２０に対向する側端縁３４を切削することにより、ネジ溝３２に係合されるネジ棒の長手方向（すなわち、図５において参照符合Ｃで示す軸線が延びる方向）に直交する方向に延びる側端縁３６が形成される。この際に、側端縁３６は、ネジ溝３２における隣り合う谷部分３２ａおよび山部分３２ｂを通るようになる。ここで、切削される前の側端縁３４は、ネジ溝３２における２つの山部分３２ｂの間を通るようになり、この側端縁３４はネジ溝３２における谷部分３２ａをまたぐようになる。これに対し、切削された後の側端縁３６は、ネジ溝３２における隣り合う谷部分３２ａおよび山部分３２ｂを通るようになるため、谷部分３２ａをまたぐようにはならない。また、可動刃３０において側端縁３４を切削するだけで、ネジ溝３２に係合されるネジ棒の長手方向に直交する方向に延びる側端縁３６を形成することができるため、可動刃３０の加工が簡単になる。
【００２２】
このような可動刃３０が固定刃２０とすれ違う際に、図２および図３に示すように、固定刃２０の側端縁２６および可動刃３０の側端縁３６の間に形成される隙間のうち最も小さい部分の大きさ（図２および図３において参照符合ａで表示）は約０．１ｍｍとなるが、可動刃３０の側端縁３６が固定刃２０の側端縁２６に対して傾斜していることにより、上述した固定刃２０の側端縁２６と可動刃３０の側端縁３６との間に形成される隙間の最も小さい部分から離れるにつれて固定刃２０の側端縁２６と可動刃３０の側端縁３６との間の距離が徐々に大きくなる。これは、固定刃２０の側端縁２６がネジ溝２２の山部分２２ｂに沿っており、ネジ溝２２に係合されるネジ棒の長手方向に直交する方向に対して傾斜しているのに対し、可動刃３０の側端縁３６がネジ溝３２に係合されるネジ棒の長手方向に直交する方向に沿って延びていることに起因する。このように、本実施の形態では、可動刃３０における固定刃２０に対向する側端縁３６は、固定刃２０の側端縁２６と平行な面（すなわち、図５において二点鎖線で示すような仮想の側端縁３４）から徐々に遠ざかるよう、固定刃２０の側端縁２６に対して角度をなしており、固定刃２０と可動刃３０との間の隙間の大きさが徐々に大きくなるようになっている。
【００２３】
次に、このような固定刃２０および可動刃３０が設けられているネジ棒切断機１０によりネジ棒を切断するときの動作について図６乃至図９を用いて説明する。
【００２４】
ネジ棒切断機１０によりネジ棒を切断するにあたり、まず、図６に示すように、固定刃２０のネジ溝２２にネジ棒を係合させることにより当該固定刃２０にネジ棒を固定する。その後、作業者が図示しないスイッチを押下することにより、ポンプ部１６の油圧ポンプにより発生した圧油がピストン機構に送られると、当該ピストン機構により摺動子４０は図１に示すような待機位置から進出位置に移動し、これに合わせて可動刃３０も、図１に示すような待機位置から進出位置に移動する。そして、可動刃３０が待機位置から進出位置に移動する途中で、当該可動刃３０はわずかな大きさの隙間を隔てて固定刃２０とすれ違うようになり、可動刃３０が固定刃２０とすれ違う際に当該固定刃２０のネジ溝２２に係合しているネジ棒が切断される。図７および図８は、可動刃３０が固定刃２０とすれ違う際にこれらの可動刃３０および固定刃２０によりネジ棒が切断される直前の状態を示す正面図等である。
【００２５】
本実施の形態のネジ棒切断機１０では、可動刃３０が固定刃２０とすれ違う際に、可動刃３０の側端縁３６と固定刃２０の側端縁３６との間で比較的大きな隙間が生じている箇所（すなわち、図２、図３および図８において参照符合Ｐで示す箇所）において、ネジ棒の外周面が周方向に引きちぎられることによりこのネジ棒が切断されるようになる。より詳細に説明すると、可動刃３０が固定刃２０とすれ違う際に、図８（ａ）に示すように固定刃２０の側端縁２６は当該固定刃２０のネジ溝２２に係合されるネジ棒のネジ溝と略一致しているので、切断されるネジ棒における固定刃２０に接触する部分はこの側端縁２６によって当該ネジ棒のネジ溝に沿って引きちぎられるようになる。一方、可動刃３０が固定刃２０とすれ違う際に、図８（ｂ）に示すように可動刃３０の側端縁３６は当該可動刃３０のネジ溝３２に接触したネジ棒のネジ山とネジ溝との間に位置するようになるので、切断されるネジ棒における可動刃３０に接触する部分はこの側端縁３６によって当該ネジ棒のネジ溝からネジ山までの間の箇所で引きちぎられるようになる。ここで、ネジ棒が引きちぎられる際に、ネジ棒のネジ山をまたがるよう隣り合う２つのネジ溝の間で切断された場合には、ネジ棒の切断面におけるこのネジ山の部分でかえりバリが発生してしまい、切断後のネジ棒にナットを嵌める際にこのかえりバリが阻害することによりナットをネジ棒に適切に嵌め込むことができなくなるおそれがある。これに対し、本実施の形態では、可動刃３０が固定刃２０とすれ違う際に、ネジ棒はネジ溝からネジ山までの間の箇所で引きちぎられることにより、ネジ棒の切断面においてかえりバリが発生してしまうことを抑制することができるようになる。このようにして、図９に示すように本実施の形態による固定刃２０および可動刃３０によってネジ棒を適切に切断することができるようになる。
【００２６】
比較対象として、従来のネジ棒切断機の構成を図１０乃至図１３に示す。図１０は、従来のネジ棒切断機における固定刃６０および可動刃７０を、可動刃７０のネジ溝７２が見える方向から見たときの構成を示す構成図であり、図１１は、従来のネジ棒切断機における固定刃６０および可動刃７０を、固定刃６０のネジ溝６２が見える方向から見たときの構成を示す構成図である。また、図１２は、図１０および図１１に示す従来のネジ棒切断機において固定刃６０および可動刃７０によりネジ棒が切断される直前の状態を示す正面図である。また、図１３（ａ）および図１３（ｂ）は、それぞれ、図１２に示すネジ棒、固定刃６０および可動刃７０を左側および右側から見たときの構成を示す左側面図および右側面図である。なお、図１０乃至図１３において、従来のネジ棒切断機により切断されるべき全ネジボルト等のネジ棒を参照符合Ｗで示している。この際に、ネジ棒のネジ山を参照符合Ｗ１で示すとともに、ネジ溝を参照符合Ｗ２で示している。また、ネジ棒の長手方向に延びる中心線（言い換えると、ネジ棒の軸線）を参照符合Ｃで示している。
【００２７】
従来のネジ棒切断機の固定刃６０は、本実施の形態のネジ棒切断機１０の固定刃２０と略同一の構成となっている。すなわち、図１１に示すように、従来のネジ棒切断機の固定刃６０には、ネジ棒が係合可能なネジ溝６２が設けられている。また、固定刃６０における、可動刃７０がすれ違う際に当該可動刃７０に対向する側端縁６６は、ネジ溝６２の山部分６２ａに沿うよう、ネジ溝６２に係合されるネジ棒の長手方向に直交する方向に対して傾斜するようになっている。このことにより、ネジ棒が固定刃６０のネジ溝６２に係合されたときに、当該固定刃６０の側端縁６６にはネジ棒のネジ溝が略一致するようになる（図１２参照）。
【００２８】
これに対して、従来のネジ棒切断機の可動刃７０は、本実施の形態のネジ棒切断機１０の可動刃３０とは異なる構成となっている。具体的には、図１０に示すように、従来のネジ棒切断機の可動刃７０には、ネジ棒が係合可能なネジ溝７２が設けられている。また、可動刃７０における固定刃６０とすれ違ったときに当該固定刃６０に対向する側端縁７６は、固定刃６０の側端縁６６と略平行に延びている。ここで、このような可動刃７０が固定刃６０とすれ違う際に、図１０および図１１に示すように、固定刃６０の側端縁６６および可動刃７０の側端縁７６の間に形成される隙間の大きさ（図１０および図１１において参照符合ｂで表示）は一定（具体的には、例えば約０．１ｍｍ）となる。また、図１０に示すように、可動刃７０の側端縁７６は、ネジ溝７２における２つの山部分７２ａの間を通るようになり、この側端縁７６はネジ溝７２における谷部分７２ｂをまたぐようになる。
【００２９】
次に、このような固定刃６０および可動刃７０が設けられている従来のネジ棒切断機によりネジ棒を切断するときの動作について図１２および図１３を用いて説明する。
【００３０】
従来のネジ棒切断機でも、可動刃７０が待機位置から進出位置に移動する途中で、当該可動刃７０はわずかな大きさの隙間を隔てて固定刃６０とすれ違うようになり、可動刃７０が固定刃６０とすれ違う際に当該固定刃６０のネジ溝６２に係合しているネジ棒が固定刃６０の側端縁６６および可動刃７０の側端縁７６によって切断される。図１２および図１３は、可動刃７０が固定刃６０とすれ違う際にこれらの可動刃７０および固定刃６０によりネジ棒が切断される直前の状態を示す正面図等である。
【００３１】
従来のネジ棒切断機では、可動刃７０が固定刃６０とすれ違う際に、固定刃６０の側端縁６６および可動刃７０の側端縁７６によってネジ棒が切断される。より詳細に説明すると、可動刃７０が固定刃６０とすれ違う際に、図１３（ａ）に示すように固定刃６０の側端縁６６は当該固定刃６０のネジ溝６２に係合されるネジ棒のネジ溝（図１３において参照符合Ｗ２で表示）と略一致しているので、切断されるネジ棒における固定刃６０に接触する部分はこの側端縁６６によって当該ネジ棒のネジ溝に沿って切断されるようになる。一方、可動刃７０が固定刃６０とすれ違う際に、図１３（ｂ）に示すように可動刃７０の側端縁７６は当該可動刃７０のネジ溝７２に接触したネジ棒のネジ山（図１３において参照符合Ｗ１で表示）をまたがるよう２つのネジ溝の間に位置するようになるので、ネジ棒はネジ山をまたがるよう隣り合う２つのネジ溝の間で可動刃７０の側端縁７６により切断されるようになる。しかしながら、この場合には、ネジ棒の切断面におけるこのネジ山の部分でかえりバリが発生してしまい、切断後のネジ棒にナットを嵌める際にこのかえりバリが阻害することによりナットをネジ棒に適切に嵌め込むことができなくなるおそれがある。このように、図１０乃至図１３に示すような従来のネジ棒切断機では、ネジ棒の切断面におけるネジ山の箇所にかえりバリが発生してしまうため、ネジ棒を切断した後に、このかえりバリを取り除くためにバリ取り作業をしなければならないという問題があった。これに対し、本実施の形態のネジ棒切断機１０では、上述したようにこのような問題が発生することを抑制することができる。
【００３２】
以上のように、本実施の形態のネジ棒切断機１０によれば、可動刃３０における固定刃２０に対向する側端縁３６（第２側端縁）は、固定刃２０の側端縁２６（第１側端縁）と平行な面から徐々に遠ざかるよう、固定刃２０の側端縁２６に対して角度をなしており、固定刃２０と可動刃３０との間の隙間の大きさが徐々に大きくなるようになっている。この場合には、固定刃の側端縁および可動刃の側端縁が平行に延びるような従来のネジ棒切断機と比較して、切断されたネジ棒の切断面の端縁にかえりバリが発生することを抑制することができ、よって切断後のネジ棒のバリ取り作業が不要となるため作業者の負荷を軽減することができる。また、このような可動刃３０では、図５において二点鎖線で示す側端縁３４を切削するだけで側端縁３６を形成することができるため、側端縁に凹部を形成する方法と比較して可動刃３０の加工が簡単になる。
【００３３】
なお、本実施の形態によるネジ棒切断機は、上述したような態様に限定されることはなく、様々な変更を加えることができる。
【００３４】
例えば、上記の説明では、可動刃３０における固定刃２０に対向する側端縁３６が、当該可動刃３０のネジ溝３２に係合されるネジ棒の長手方向に直交する方向に沿って延びているような態様について述べたが、本実施の形態はこのような態様に限定されることはない。本実施の形態によるネジ棒切断機の他の例として、可動刃における固定刃に対向する側端縁が、固定刃の側端縁と平行な面から徐々にから遠ざかるよう、固定刃の側端縁に対して角度をなしている場合には、この可動刃の側端縁が、当該可動刃のネジ溝に係合されるネジ棒の長手方向に直交する方向に沿って延びることに限定されることはない。
【００３５】
また、上記の説明では、可動刃３０における固定刃２０に対向する側端縁３６が、可動刃３０のネジ溝３２における隣り合う谷部分３２ａと山部分３２ｂとの間を通るようになっているような態様について述べたが、本実施の形態はこのような態様に限定されることはない。本実施の形態によるネジ棒切断機の他の例として、可動刃における固定刃に対向する側端縁が、可動刃のネジ溝における谷部分をまたがないものであれば、必ずしもネジ溝における隣り合う谷部分と山部分との間を通らなくてもよい。
【００３６】
また、上記の説明では、固定刃２０における可動刃３０に対向する側端縁２６は、ネジ溝２２の山部分に沿うよう、当該固定刃２０のネジ溝２２に係合されるネジ棒の長手方向に直交する方向に対して角度をなしており、一方、可動刃３０における固定刃２０に対向する側端縁３６は、固定刃２０の側端縁２６と平行な面から徐々に遠ざかるよう、固定刃２０の側端縁２６に対して角度をなしているような態様について述べたが、本実施の形態はこのような態様に限定されることはない。本実施の形態によるネジ棒切断機の他の例として、固定刃と可動刃の形状が互いに逆となっていてもよい。すなわち、可動刃における固定刃に対向する側端縁は、この可動刃のネジ溝の山部分に沿うよう、当該可動刃のネジ溝に係合されるネジ棒の長手方向に直交する方向に対して角度をなしていてもよい。また、この場合には、固定刃における可動刃に対向する側端縁は、可動刃の側端縁と平行な面から徐々に遠ざかるよう、可動刃の側端縁に対して角度をなすようになる。
【００３７】
また、上記の説明では、摺動子４０が油圧ポンプにより発生した圧油によって動作される態様について述べたが、本実施の形態はこのような態様に限定されることはない。変形例に係るネジ棒切断機において油圧ポンプを用いる代わりに例えば電動により摺動子４０が動作されるようになっていてもよい。
【符号の説明】
【００３８】
１０    ネジ棒切断機
１２    本体部
１４    ハンドル
１６    ポンプ部
２０    固定刃
２２    ネジ溝
２２ａ  谷部分
２２ｂ  山部分
２４、２６  側端縁
３０    可動刃
３２    ネジ溝
３２ａ  谷部分
３２ｂ  山部分
３４、３６  側端縁
４０    摺動子
６０    固定刃
６２    ネジ溝
６２ａ  山部分
６６    側端縁
７０    可動刃
７２    ネジ溝
７２ａ  山部分
７２ｂ  谷部分
７６    側端縁
【図１】
0003212513.tif 000003
【図２】
0003212513.tif 000004
【図３】
0003212513.tif 000005
【図４】
0003212513.tif 000006
【図５】
0003212513.tif 000007
【図６】
0003212513.tif 000008
【図７】
0003212513.tif 000009
【図８】
0003212513.tif 000010
【図９】
0003212513.tif 000011
【図１０】
0003212513.tif 000012
【図１１】
0003212513.tif 000013
【図１２】
0003212513.tif 000014
【図１３】
0003212513.tif 000015